(57)【要約】【課題】  全ての市販のマスクについて使用することにより耳の痛さを解消するばかりか多量製造も容易で安価に提供でき、特に、優れたデザインを有し、使用時にも美麗でファッション的にも優れているマスク用の補助具を提供する。【解決手段】  マスク本体に付設された左右の耳掛け紐に係止する係止部材が長尺の支持部材の両端に付設されたマスク用補助具であって、支持部材と両係止部材とが弾性且つ折曲可能な板状に形成されているとともに、各係止部材が支持部材に連設した膨出部の左右方向のほぼ中央において縦方向に設けた折曲部が形成されているとともに折曲部を挟んで互いに係脱可能な係止孔と係止突起とが設けられていることを特徴とし、更に、支持部材と両係止部材とを一体に形成した。【選択図】図１
2011055896.tif 000002
【特許請求の範囲】
【請求項１】
マスク本体に付設された左右の耳掛け紐に係止する係止部材が長尺の支持部材の両端に付設されたマスク用補助具であって、
前記支持部材と両係止部材とが弾性且つ折曲可能な板状に形成されているとともに、前記各係止部材が前記支持部材に連設した膨出部の左右方向のほぼ中央において縦方向に設けた折曲部が形成されているとともに前記折曲部を挟んで互いに係脱可能な係止孔と係止突起とが設けられていることを特徴とするマスク用補助具。
【請求項２】
前記支持部材と両係止部材とが一体に形成されていることを特徴とするマスク用補助具。
【請求項３】
マスク本体に付設された左右の耳掛け紐に係止する係止部材が長尺の支持部材の両端に付設されたマスク用補助具であって、
前記支持部材が弾性材により形成されているとともに、前記各係止部材が左右方向の一端に支持部材への係止部が形成されて対向するもう一端に前記耳掛け紐への係止部か形成されており、前記耳掛け紐への係止部が上下方向の両端に弧状の係止突起が突出しているとともに前記支持部材への係止部が支持部材の端部を係止する係止孔を有していることを特徴とするマスク用補助具。
【請求項４】
前記支持部材への係止部である支持部材の端部を係止する係止孔に前記支持部材側に通じる切り込みが形成されていることを特徴とする請求項３に記載のマスク用補助具。
【請求項５】
前記支持部材の両端に前記係止孔よりも大経の係止突起が形成されていることを特徴とする請求項４記載のマスク用補助具。
【請求項６】
マスク本体に付設された左右の耳掛け紐に係止する係止部材が長尺の支持部材の両端に付設されたマスク用補助具であって、
前記各係止部材が周縁の一部に形成した連結部において連結されるとともに少なくとも一方の内面に接着層を形成した一対の係止片により形成されており、前記係止片を耳掛け紐を挟み込んで接着することを特徴とするマスク用補助具。
【発明の詳細な説明】
【技術分野】
【０００１】
本発明は、市販のマスクに付設して使用する補助具に関するものであり、装着を確実にするばかりか、特に耳掛けによる痛みを解消するマスク用補助具に関するものである。
【背景技術】
【０００２】
従来、図１３に示すように、口と鼻を覆うマスク本体２１の両端に環状の耳掛け紐２２，２２を付設したマスク２が一般に市販されているが、耳掛け紐２２，２２を耳４，４に掛けて使用するものであり、長時間使用すると耳４，４の掛け部が痛くなったり肌が荒れたり、かぶれたりするという問題があり、特に、市販のマスク２は耳掛け紐２２，２２が弛むと隙間なく口や鼻を押さえることができなくなってその機能を充分に発揮することができないこと、また、耳４，４までの距離は個人差があり、出来るだけ万人に適用可能にするために比較的長さを短くしたり弾性率を高めて対処しており、支障が生じる割合が高い。
【０００３】
そこで、例えば実開平６−４８６９９号公報（特許文献１）にマスク本体の両端に付設した環状の耳掛け紐に係止して耳の掛け部が痛くなったり肌が荒れたり、かぶれたりするのを防ぐマスク用の補助具が提示されている。
【０００４】
この特許文献１に提示されている従来のマスク用の補助具は、図１４に示したように、使用者の頭部の後面に当てる長尺で例えばゴム紐のような支持部材１１ａの両端にマスク本体２１ａに付設された左右の耳掛け紐２２ａ，２２ａに係止するフック状の係止部材１２ａ，１２ａが付設されたものである。
【０００５】
従って、支持部材１１ａの両端にフック状の係止部材１２ａ，１２ａを固着する必要があり、製造がきわめて面倒であり、また、固着状態が確実か否かにつき確認する必要があって品質管理の点でも問題があり、更に、美観的にも問題がある。
【０００６】
また、図１５に示すように、横長の弾性薄板片１１ｂの後端部に、マスク２ｂの耳掛け紐２２ｂ，２２ｂの一方を着脱自在として取り付けるようにし、さらに弾性薄板片１１ｂに設けた複数段の引っ掛け部１２ｂに、マスク（２）のマスク２ｂの耳掛け紐２２ｂ，２２ｂのもう一方を係脱自在として取り付けるようにしたマスク用補助具１ｂが特開平１０−２０１８６６号公報（特許文献２）に提示されている。
【０００７】
ところが、前記特許文献２に記載されているマスク用補助具１ｂは、主として防塵用のマスクに用いられるものであって、耳掛け紐２２ｂ，２２ｂの長さが長くて確実に口などに密着させて装着することを目的とするものであり、耳掛け紐２２ｂ，２２ｂの長さが調節不要の場合には補助具を使う必要がなく、通常は耳掛け紐２２ｂ，２２ｂを耳に掛けて使用するものであり、殆どの使用者は耳の痛さを回避することはできない。
【０００８】
また、図１６に示した装着状態のように、複数段の引っ掛け部１２ｂの根本部分を使用した場合には余分な先端部が突出して邪魔であったり左右が対称でなく見栄えが悪いという問題がある。
【先行技術文献】
【特許文献】
【０００９】
【特許文献１】実開平６−４８６９９号公報
【特許文献２】特開平１０−２０１８６６号公報
【発明の概要】
【発明が解決しようとする課題】
【００１０】
本発明は、前記従来のマスク用補助具が有する問題点を解決するためになされたものであり、全ての市販のマスクについて使用することにより耳の痛さを解消するばかりか多量製造も容易で安価に提供でき、特に、優れたデザインを有し、使用時にも美麗でファッション的にも優れているマスク用の補助具を提供することを課題とする。
【課題を解決するための手段】
【００１１】
前記課題を解決するためになされた第１の発明は、マスク本体に付設された左右の耳掛け紐に係止する係止部材が長尺の支持部材の両端に付設されたマスク用補助具であって、前記支持部材と両係止部材とが弾性且つ折曲可能な板状に形成されているとともに、前記各係止部材が前記支持部材に連設した膨出部の左右方向のほぼ中央において縦方向に設けた折曲部が形成されているとともに前記折曲部を挟んで互いに係脱可能な係止孔と係止突起とが設けられていることを特徴とし、更に、前記支持部材と両係止部材とが一体に形成されている。
【００１２】
また、第２の発明は、マスク本体に付設された左右の耳掛け紐に係止する係止部材が長尺の支持部材の両端に付設されたマスク用補助具であって、前記支持部材が弾性材により形成されているとともに、前記各係止部材が左右方向の一端に支持部材への係止部が形成されて対向するもう一端に前記耳掛け紐への係止部か形成されており、前記耳掛け紐への係止部が上下方向の両端に弧状の係止突起が突出しているとともに前記支持部材への係止部が支持部材の端部を係止する係止孔を有していることを特徴とし、前記支持部材への係止部である支持部材の端部を係止する係止孔に前記支持部材側に通じる切り込みが形成されていること、前記支持部材の両端に前記係止孔よりも大経の係止突起が形成されているとよい。
【００１３】
更に、第３の発明は、マスク本体に付設された左右の耳掛け紐に係止する係止部材が長尺の支持部材の両端に付設されたマスク用補助具であって、
前記各係止部材が周縁の一部に形成した連結部において連結されるとともに少なくとも一方の内面に接着層を形成した一対の係止片により形成されていることを特徴とする。
【発明の効果】
【００１４】
本発明は、各種タイプの市販されているマスクについて使用することにより耳の痛さを解消するばかりか多量製造も容易で安価に提供でき、特に、優れたデザインを有し、使用時にも美麗でファッション的にも優れているマスク用の補助具を提供することができる。
【図面の簡単な説明】
【００１５】
【図１】本願の第１の発明における好ましい実施の形態を示すものであり（ａ）は平面図、（ｂ）は側面図。
【図２】図１に示した実施の形態における使用状態を示す説明図。
【図３】図１に示した実施の形態における装着状態を示す説明図。
【図４】図１に示した実施の形態における異なる方向からの装着状態を示す説明図。
【図５】本願の第２の発明における好ましい実施の形態を示す分解した状態を示す平面図。
【図６】図５に示した実施の形態の組み立てた状態の使用状態を示す平面図。
【図７】図５に示した実施の形態における装着状態を示す説明図。
【図８】図５に示した実施の形態における異なる方向からの装着状態を示す説明図。
【図９】本願の第２の発明における異なる実施の形態を示す分解した状態を示す平面図。
【図１０】本願の第３の発明における好ましい実施の形態を示す分離した状態を示す平面図。
【図１１】図１０に示した実施の形態の装着状態を示す説明図。
【図１２】本願の第３の発明における異なる実施の形態を示す分離した状態を示す平面図。
【図１３】従来のマスクを示す説明図。
【図１４】従来例を示す説明図。
【図１５】異なる従来例を示す説明図。
【図１６】図１５に示した従来例の装着状態を示す説明図。
【発明を実施するための形態】
【００１６】
以下に、図面を参照しながら本発明を実施するための形態を説明する。
【００１７】
図１は、本願の第１発明の好ましい実施の形態を示すものであって、マスク用補助具１は、弾性を有し且つ折曲可能な例えばシリコン樹脂などにより板状に一体に形成され、長尺の支持部材１１とその両端に付設された係止部材１２，１２とを有する。
【００１８】
そして、前記支持部材１１は例えば全長が１０〜１２ｃｍ程度の長さを有し、その両端に連設された係止部材１２は、平面がほぼ楕円形を呈する膨出部の中央に折曲部１２１が縦方向に設けられているとともに前記折曲部１２１を挟んで互いに係脱可能な係止孔１２２と係止突起１２３とが一体に設けられている。
【００１９】
以上の構成を有する本実施の形態は、前記図１に示した状態で販売され、使用するには、図２（ａ）に示すように、マスク２の耳掛け紐２２を前記係止部材１２の折曲部１２１付近に当てて、図２（ｂ）に示すように折曲部１２１を折り曲げて係止突起１２３を係止孔１２２に挿入して係止すればよく、図３に示すように、マスク２の耳掛け紐２２，２２について前記図２（ｂ）に示した操作により係止部材１２，１２をそれぞれ係止して装着する。
【００２０】
本実施の形態によれば、図３および図４に示すようにマスク２を形成するマスク本体２１に付設された耳掛け紐２２，２２に本実施の形態であるマスク用補助具１の係止部材１２，１２が係止されて支持部材１１により耳掛け紐２２，２２が頭３の後面３１にて支持されることになり、耳４に掛かることがなくマスク２を装着することができ、耳掛け紐２２，２２による耳痛や摩擦による肌あれや損傷を防ぐことができる。
【００２１】
尚、本実施の形態は、前記折り曲げて係止した係止突起１２３を係止孔１２２から抜き取って係止部材１２を拡開して元の状態とすればきわめて簡単に耳掛け紐２２，２２から取り外すことができ、使い捨てのマスクの場合と同様に廃棄すればよいが、マスク本体２１部分について使用するものでないことから清潔に保って再使用することもできる。
【００２２】
図５は本願の第２の発明についての好ましい実施の形態を示すものであり、マスク用補助具１は、例えばシリコンゴムのような弾性材により形成された長尺の支持部材１１と、その両端に付設される係止部材１２，１２とからなり、特に、前記支持部材１１は使用するマスクに付設されている耳掛け紐の弾性力よりも大きな弾性力を有する。
【００２３】
また、本実施の形態では前記支持部材１１は環状であると好ましい。
【００２４】
更に、本実施の形態では、各係止部材１２は左右方向の一端に上下方向の両端に突出した弧状の係止突起１２４を有する例えばマッシュルームの断面形状に似た係止部１２５が例えばシリコン樹脂やポリプロピレンなどの板材により形成されているとともに左右方向のもう一端に前記支持部材１１へ係止するための係止孔１２６が形成されている。
【００２５】
特に、前記係止孔１２６は前記支持部材１１側に通じる切り込み１２７が形成されている。
【００２６】
本実施の形態は、図６に示すように、支持部材１１の端部を前記係止部材１２の支持部材１１への係止部１２４に掛けて前記切り込み１２７を通して係止孔１２６へ挿通して係止し、支持部材１１の両端に付設し、これを図６に示したように、各係止部材１２の係止部１２４をマスク２の耳掛け紐２２，２２に係止して装着することにより前記図３に示した前記第１の発明と同様の作用・効果を奏することができる。
【００２７】
また、本実施の形態は、使用後については、前記係止時とは逆に切り込み１２７を介して係止孔１２６から取り外して別々に廃棄することができ、また、支持部材１１および各係止部材１２の何れかが損傷したとしても全てを交換することなしに適宜選択して使用することができ、また、新規に使用する場合にも支持部材１１および各係止部材１２の形態や素材、更には色彩やデザインなどを選択することによりデザイン（ファッション）的にも優れたものを提供することができる。
【００２８】
図９は第２の発明の異なる実施の形態を示すものであり、全体の形状や作用・効果等は前記図４に示した実施の形態とほぼ同様であるが、前記支持部材１１の両端に前記係止部材１２に形成された係止孔１２６よりも大経の係止突起１１１が形成されている。
【００２９】
従って、支持部材１１の端部を前記切り込み１２７を介して係止孔１２６に挿入することにより、係止突起１１１を係止孔１２６に係止して、また、逆に係止部材１１の端部を前記切り込み１２７から抜き出すことによりきわめて簡単な構造で支持部材１１と係止部材１２とを係脱することができる。
【００３０】
図１０は、本願の第３の発明についての好ましい実施の形態を示すものであり、全体の構成ならびに作用効果は、前記図１に示した実施の形態とほぼ同様であるが、支持部材１１と各係止部材２１とが別体に形成されている。また、各、係止部材１２が周縁の一部に形成した連結部１２８において連結されるとともに少なくとも一方の内面に接着層１２９を形成した一対の係止片１３０，１３０により形成されており、図１１に示すように、前記係止片１３０，１３０をマスクの耳掛け紐２２を挟み込んで接着することにより耳掛け紐２２に係止する。尚、使用前には、接着層１２９に遮蔽シートを装着しておくとよい。
【００３１】
本実施の形態では、各係止部材２１、更には支持部材１１を紙により形成することも可能であり、地球環境にも適している。
【００３２】
また、図１２は第３の発明の異なる実施の形態を示すものであり、全体の構成は前記図４に示した実施の形態とほぼ同様であるが、各係止部材１２が周縁の一部に形成した連結部１２８において連結されるとともに少なくとも一方の内面に接着層１２９を形成した一対の係止片１３０，１３０により形成されており、前記係止片１３０，１３０を支持部材１１の端部１１２を挟み込んで接着することにより支持部材１１の両端に係止部材１２，１２が付設される。
【００３３】
本実施の形態はきわめて安価に提供できることはいうまでもなく、支持部材１１としてゴム紐のような弾性材により形成されたものを使用することができ、確実に装着することができる。尚、本実施の形態では支持部材１１の少なくとも両端が平坦であると支持し易い。
【符号の説明】
【００３４】
１  マスク用補助具、２  マスク、２１  マスク本体、２２，２２  耳掛け紐、１２，１２  係止部材、１１  支持部材、１２１  折曲部、１２２  係止孔、１２３  係止突起、１２４  係止突起、１２５  係止部、１２６  係止孔、１２７  切り込み、１２８  連結部、１２９  接着層、１３０，１３０  係止片
【図１】
2011055896.tif 000003
【図２】
2011055896.tif 000004
【図３】
2011055896.tif 000005
【図４】
2011055896.tif 000006
【図５】
2011055896.tif 000007
【図６】
2011055896.tif 000008
【図７】
2011055896.tif 000009
【図８】
2011055896.tif 000010
【図９】
2011055896.tif 000011
【図１０】
2011055896.tif 000012
【図１１】
2011055896.tif 000013
【図１２】
2011055896.tif 000014
【図１３】
2011055896.tif 000015
【図１４】
2011055896.tif 000016
【図１５】
2011055896.tif 000017
【図１６】
2011055896.tif 000018